(57)【要約】【課題】携帯通信端末の機能を極めて少ない操作回数で活用することが容易であること。【解決手段】ユニットボックスを形成する本体ケーシング１に、携帯端末に接続するコネクタを着脱自在に嵌め込む電気的接続部位と、表示画面２と、ボタン群３と、データ保存を制御するデータ保存制御器２１が構成されている。データ保存制御器２１は、携帯端末のデータを取込み記憶し、データの記録とデータの消去を指示するデータ保存消去処理回路２５が形成されている。ボタン群３は、第１データ群と第２データ群の表示を選択するメニュー選択ボタン１４と、データ保存消去ボタン１７とから形成されている。データ保存消去処理回路２５は、メニュー選択ボタン１４とデータ保存消去ボタン１７とにより選択される第１種データ又は第２種データを選択的に第１データメモリ２３又は第２データメモリ２４に記録する記録信号を生成する。ユーザー操作の回数は、激減する。【選択図】          図１
2005123825.tif 000002
【特許請求の範囲】
【請求項１】
本体ケーシングと、
前記本体ケーシングに形成され携帯端末に接続するコネクタを着脱自在に嵌め込む電気的接続部位と、
前記本体ケーシングに形成される表示画面と、
前記本体ケーシングに形成されるボタン群と、
データ保存を制御するデータ保存制御器とを構成し、
前記データ保存制御器は、
前記携帯端末のデータを前記電気的接続部位を介して取込み記憶しデータの記録とデータの消去を指示するデータ保存消去処理回路と、
第１メニューに属する第１種データを記録する第１データメモリと、
第２メニューに属する第２種データを記録する第２データメモリとを形成し、
前記ボタン群は、
第１データ群と第２データ群の表示を選択するメニュー選択ボタンと、
データ保存消去ボタンとを形成し、
前記データ保存消去処理回路は、前記メニュー選択ボタンと前記データ保存消去ボタンとにより選択される第１種データ又は前記第２種データを選択的に前記第１データメモリ又は前記第２データメモリに記録する記録信号を生成する
携帯端末データの簡易処理箱。
【請求項２】
前記データ保存制御器は、
フィルタを更に形成し、
前記データ保存消去処理回路は、前記メニュー選択ボタンと前記データ保存消去ボタンとにより選択される第１種データ又は前記第２種データを選択的に前記第１データメモリ又は前記第２データメモリから消去する消去信号を生成し、
前記フィルタは、前記消去信号に対応する第１種データ又は前記第２種データを前記データ保存消去処理回路から前記第１データメモリ又は前記第２データメモリに送信しない
請求項１の携帯端末データの簡易処理箱。
【請求項３】
前記フィルタは、
前記データ保存消去処理回路と前記第１データメモリとの間に介設される第１フィルタと、
前記データ保存消去処理回路と前記第２データメモリとの間に介設される第２フィルタとを形成する
請求項２の携帯端末データの簡易処理箱。
【請求項４】
前記第１メニューはメールに関し前記第２メニューは電話帳に関する
請求項１〜３から選択される１請求項の携帯端末データの簡易処理箱。
【請求項５】
前記ボタン群は、
昇順ボタンと、
降順ボタンとを形成し、
前記昇順ボタンと前記降順ボタンは、前記第１メニューに関して表示される前記第１種データの昇順、降順と前記第２メニューに関して表示される前記第２種データの昇順、降順とに兼用される
請求項１〜４から選択される１請求項の携帯端末データの簡易処理箱。
【請求項６】
前記データ保存消去ボタンは、前記第１メニューに関して表示される前記第１種データの保存、消去と前記第２メニューに関して表示される前記第２種データの保存、消去とに兼用される
請求項１〜４から選択される１請求項の携帯端末データの簡易処理箱。
【請求項７】
前記ボタン群は、
昇順ボタンと、
降順ボタンとを形成し、
前記昇順ボタンと前記降順ボタンは、前記第１メニューに関して表示される前記第１種データの昇順、降順と前記第２メニューに関して表示される前記第２種データの昇順、降順とに兼用され、
前記データ保存消去ボタンは、前記第１メニューに関して表示される前記第１種データの保存、消去と前記第２メニューに関して表示される前記第２種データの保存、消去とに兼用される
請求項１〜４から選択される１請求項の携帯端末データの簡易処理箱。
【請求項８】
前記電気的接続部位は、前記コネクタを嵌め込む嵌め込み部位を形成し、
前記嵌め込み部位に嵌まるキャップと、
前記キャップを嵌め込む他の嵌め込み部位が前記本体ケーシングに形成されている
請求項１の携帯端末データの簡易処理箱。
【請求項９】
前記本体ケーシングは、線状可撓体の端部を取り付ける取付部位（５）を更に形成する
請求項８の携帯端末データの簡易処理箱。
請求項１〜８から選択される１請求項の携帯端末データの簡易処理箱。
【請求項１０】
携帯電話機をデータ処理器に接続するステップと、
携帯電話機のデータをデータ処理器の記憶部に取り込むステップと、
前記データ処理器の操作ボタンにより前記データを前記データ処理器の表示部に表示するステップと、
前記表示部に表示されるデータのうち保存対象データを操作選択ボタンで選択するステップと、
前記保存対象データを保存ボタンで保存部に保存するステップ
とを構成する携帯端末データの簡易処理方法。
【請求項１１】
前記保存部に保存されている前記保存対象データを消去するステップと、
前記保存対象データが前記記憶部から前記保存部に通ることを禁止するステップ
とを更に構成する請求項１０の携帯端末データの簡易処理方法。
【発明の詳細な説明】
【技術分野】
【０００１】
本発明は、携帯端末データの簡易処理箱、及び、携帯端末データの簡易処理方法に関する。
【背景技術】
【０００２】
携帯電話器のような携帯通信端末は、高性能化とともに小型軽量化が促進されている。その高性能化は、キー操作の階層的複雑化を含んでいる。使用頻度が低い機能の使用のためのキー操作手順が組み込まれる全体のキー操作手順群の中に、使用頻度が高い機能の使用のためのキー操作手順が埋没している。使用頻度は低いが緊急の場合に特に重要である機能の使用のためのキー操作は、幼児に対して容易であることが望まれる。使用頻度が高い機能を使用するためのキー操作は、誰にも素早く可能であることが望まれる。
【０００３】
複雑であるが貴重である携帯通信端末の機能を極めて少ない操作回数で活用することが容易であることが求められる。
【０００４】
【特許文献１】特開２０００−１１５３４６号
【発明の開示】
【発明が解決しようとする課題】
【０００５】
本発明の課題は、携帯通信端末の機能を極めて少ない操作回数で活用することが容易である携帯端末データの簡易処理箱、及び、携帯端末データの簡易処理方法を提供することにある。
【課題を解決するための手段】
【０００６】
本発明による携帯端末データの簡易処理箱は、本体ケーシング（１）と、本体ケーシング（１）に形成され携帯端末に接続するコネクタを着脱自在に嵌め込む電気的接続部位（４）と、本体ケーシング（１）に形成される表示画面（２）と、本体ケーシング（１）に形成されるボタン群（３）と、データ保存を制御するデータ保存制御器（２１）とから構成されている。データ保存制御器（２１）は、携帯端末のデータを電気的接続部位（４）を介して取込み記憶しデータの記録とデータの消去を指示するデータ保存消去処理回路（２５）と、第１メニューに属する第１種データを記録する第１データメモリ（２３）と、第２メニューに属する第２種データを記録する第２データメモリ（２４）とから形成されている。ボタン群（３）は、第１データ群と第２データ群の表示を選択するメニュー選択ボタン（１４）と、データ保存消去ボタン（１７）とから形成されている。データ保存消去処理回路（２５）は、メニュー選択ボタン（１４）とデータ保存消去ボタン（１７）とにより選択される第１種データ又は第２種データを選択的に第１データメモリ（２３）又は第２データメモリ（２４）に記録する記録信号を生成する。本体ケーシングは、ユニットの箱として形成され、ポケットに入れられ、首に吊されて簡易に携帯されて携帯電話機とともに移動する。
【０００７】
携帯電話に保存されているデータは、そのユーザーの操作能力に関係しないで自動的にデータ保存消去処理回路（２５）に取り込まれる。ユーザーは、メニュー選択ボタン（１４）と保存・消去ボタンの指押しだけで選択メニューに属するデータを表示することができ、携帯電話機の複雑なボタンの組合せ操作を要求されない。人の論理判断操作の連続回数は標準的には３回が限度であるといわれる。ユーザーは、回数が少ない操作で、必要なデータを見ることができる。
【０００８】
データ保存制御器（２５）は、フィルタ（２６，２７）を更に形成している。データ保存消去処理回路（２５）は、メニュー選択ボタン（１４）とデータ保存消去ボタン（１７）とにより選択される第１種データ又は前記第２種データを選択的に第１データメモリ（２３）又は第２データメモリ（２４）から消去する消去信号を生成する。フィルタは、消去信号に対応する第１種データ又は第２種データをデータ保存消去処理回路（２５）から第１データメモリ（２３）又は第２データメモリ（２４）に送信しない。このようなフィルタ機能は、一度消去したデータであり携帯電話機に残されているデータを選択的にメモリに記録する動作を回避する複雑な操作からユーザーを開放する。
【０００９】
フィルタは、データ保存消去処理回路（２５）と第１データメモリ２３との間に介設される第１フィルタ（２６）と、データ保存消去処理回路（２５）と第２データメモリ（２４）との間に介設される第２フィルタ（２７）とから形成されている。メニューに対応するメモリー領域の設定は、回路構成を簡素化する。
【００１０】
第１メニューはメールに関し第２メニューは電話帳に関し、操作が苦手なユーザーに重要な機能の点で実用性を具体化する。
【００１１】
ボタン群（３）は、昇順ボタン（１５）と、降順ボタン（１６）とから形成される。昇順ボタン（１５）と降順ボタン（１６）は、第１メニューに関して表示される第１種データの昇順、降順と第２メニューに関して表示される第２種データの昇順、降順とに兼用される。昇順・降順の操作は、ユーザーに困難ではない。データ保存消去ボタン（１７）は、第１メニューに関して表示される第１種データの保存、消去と第２メニューに関して表示される第２種データの保存、消去とに兼用され、ユーザー操作を更に簡素化する。このような兼用は、ユーザーにとって困難ではない。
【００１２】
電気的接続部位（４）は、コネクタを嵌め込む嵌め込み部位（８）を形成する。嵌め込み部位（８）に嵌まるキャップ（１１）と、キャップ（１１）を嵌め込む他の嵌め込み部位（１２）が本体ケーシング（１）に形成されている。外されるキャップの紛失の機会が激減する。携帯電話機とともに持ち歩くことができるように、本体ケーシング（１）には、線状可撓体（６）の端部を取り付ける取付部位（５）が形成されている。
【００１３】
本発明による携帯端末データの簡易処理方法は、携帯電話機をデータ処理器に接続するステップと、携帯電話機のデータをデータ処理器の記憶部に取り込むステップと、データ処理器の操作ボタンによりデータをデータ処理器の表示部に表示するステップと、表示部に表示されるデータのうち保存対象データを操作選択ボタンで選択するステップと、保存対象データを保存ボタンで保存部に保存するステップとから構成されている。更に、保存部に保存されている保存対象データを消去するステップと、保存対象データが記憶部から保存部に通ることを禁止するステップが追加され、既述の通りに、ユーザー操作が簡素化される。
【発明の効果】
【００１４】
本発明による携帯端末データの簡易処理箱、及び、携帯端末データの簡易処理方法は、操作が苦手であるユーザーに携帯電話機の優れた機能を簡単に提供することができる。メニューが増加することによる複雑な操作は、ユーザーに強要されない。
【発明を実施するための最良の形態】
【００１５】
本発明による携帯端末データの簡易処理箱の実現態は、図に対応して、詳細に記述される。その実現態は、図１に示されるように、本体ケーシング１と、データを表示する表示画面２と、操作ボタン群３とから構成されている。本体ケーシング１は、図示されない携帯通信端末に対して差し込まれる接続器４を備えている。本体ケーシング１には、鎖取付け部位５が形成されている。鎖取付け部位５には鎖６が嵌められる。鎖の自由端部には、着脱器具７が取り付けられている。着脱器具７は、キーホルダーとして用いられ、又は、携帯通信端末に係合され得る。
【００１６】
接続器４は、本体ケーシング１に一体的に本体ケーシング１の１つの面の側に形成される凸形輪８と、凸形輪８の内側で外側に向かって立ち上がり本体ケーシング１に支持される多数のピンにより形成される電気的接続ピン群９とを備えている。電気的接続ピン群９は、８ピン又は１６ピンで形成されている。接続器４の開口は、図２に示されるように、キャップ１１で閉じられる。本体ケーシング１の他の面には、キャップ保持体１２が本体ケーシング１に一体に形成されている。キャップ保持体１２の外形の形状は、凸形輪８の外形の形状に同じである。接続器４を携帯通信端末に差し込む際に外されるキャップ１１は、一時的にキャップ保持体１２に嵌め込まれて保持される。
【００１７】
操作ボタン群３は、電源入切ボタン１３と、メニュー選択ボタン１４と、昇順ボタン１５と、降順ボタン１６と、保存ボタン１７−１と、消去ボタン１７−２と、表示ボタン１８から形成されている。電源入切ボタン１３が１回目に押されれば、表示画面２に複数のメニューが自動的に表示され、メニュー表示ボタンは設けられていない。
【００１８】
図３は、本体ケーシング１の中に内蔵されている機能利用回路を示している。その機能
利用回路１９は、データ処理回路２１と、データ処理用ＣＰＵ２２と、第１データメモリ２３と、第２データメモリ２４とから構成されている。データ処理回路２１は、データ保存消去処理回路２５と第１フィルタ２６と第２フィルタ２７とから構成されている。第１フィルタ２６は、データ処理回路２１と第１データメモリ２３との間に介設されている。第２フィルタ２７は、データ処理回路２１と第２データメモリ２４との間に介設されている。第１フィルタ２６は、第１データ群のうち消去されたデータに対応する第１消去データ対応データ（例示：消去データ対応番号）を記録し、且つ、第１消去データ対応データに対応する第１データ群要素を通過させない。第２フィルタ２７は、第２データ群のうち
消去されたデータに対応する第２消去データ対応データを記録し、且つ、第２消去データ対応データに対応する第２データ群要素を通過させない。
【００１９】
メニュー選択ボタン１４と昇順ボタン１５と降順ボタン１６と保存ボタン１７−１と消去ボタン１７−２と表示ボタン１８は、それぞれの押しにより、メニュー選択信号２８、昇順信号２９と、降順信号３１と、保存信号３２−１と、消去信号３２−２と、表示信号３３をそれぞれに生成する。メニュー選択信号２８と昇順信号２９と降順信号３１と保存信号３２と消去信号３３は、データ処理用ＣＰＵ２２に入力される。接続器４を介して携帯通信端末に接続する本体ケーシング１のデータ処理回路２１には、後述される操作により通信携帯端末に保存されている既述の第１データ群と既述の第２データ群とは、選択的にデータ保存消去処理回路２５に送信され、データ保存消去処理回路２５で一時的に保留される。携帯通信端末に接続する本体ケーシング１の電源には、その携帯通信端末の電源の電力が電気的接続ピン群９のうちの１つのピンを介して供給される。
【００２０】
ステップＳ１：
電源入切ボタン１３が押されて、図４に示されるように、表示画面２に複数のメニューが列挙的に昇降順方向に表示される。表示画面２には、”１．メイル”と”２．電話帳”の２つのメニューが表示されている。メニュー選択表示枠３４は、初期的には、”１．メイル”を囲んでいる。
ステップＳ２：
メニューとして”２．電話帳”の機能の使用を望むユーザーは、降順ボタン１６を１回だけ指押しする。その指押しにより、”２．電話帳”が図５に示されるようにメニュー選択表示枠３４で囲まれる。
ステップＳ３：
そのユーザーは、メニュー選択ボタン１４を指押しする。その指押しにより、携帯通信端末の中に保存されている電話帳（既述の第１データ群）が表示画面２に表示される。今、図４の状態でメニュー選択ボタン１４が指押しされることが仮定される。メール特定データ（既述の第２データ群）は、データ処理回路２１に送信されデータ処理回路２１で一時的に保存される。図６に示されるように、メール着信時刻とメール送信人との対応を示す検索用メール情報対が時系列降順方向に表示画面２に表示される。今の場合、５対の検索用メール情報が表示されている。降順ボタン１６の押しにより、第６番目の検索用メール情報から最終対（最新対）の検索用メール情報までが降順的に表示画面２に表示される。
【００２１】
ステップＳ４：
データ保存消去処理回路２５に転載されている全メールを保存することを望むユーザーは、保存ボタン１７−１を指押しする。保存ボタン１７−１から出力される保存信号３２−１はデータ処理用ＣＰＵ２２に入力される。データ処理用ＣＰＵ２２は、保存信号３２−１に対応して、データ保存消去処理回路２５に転載されている全メールの出力をデータ保存消去処理回路２５に命じる。データ保存消去処理回路２５は、データ処理用ＣＰＵ２２の命令に対応して、データ保存消去処理回路２５に転載されている全メールを表示画面２に対して出力し、その全メールは検索用メール情報対との対応関係を与えられて第２データメモリ２４に保存される。
ステップＳ５：
データ保存消去処理回路２５に転載されている全メールを保存することを望まない場合には、ユーザーは、ステップＳ４で全メールを第２データメモリ２４に一時的に保存した後に、図７に示されるように、昇順ボタン１５又は降順ボタン１６を指押しして保存したくないメールに対応する検索用メール情報対を検索用メール情報対選択枠３５で囲む。
【００２２】
ステップＳ６：
ユーザーは、消去ボタン１７−２を指押しする。消去ボタン１７−２で生成される消去信号３２−２は、データ処理用ＣＰＵ２２に入力される。データ処理用ＣＰＵ２２は、消去信号３２−２に対応して、消去命令信号３６を生成して出力する。データ保存消去処理回路２５は、消去命令信号３６に対応して、第２データメモリ２４に記録されている消去対象メールを消去する消去信号３７を作成する。データ保存消去処理回路２５から出力され第２データメモリ２４に入力される消去信号３７は、第２データメモリ２４に記録されている消去対象メールを消去する。その消去対象メールの検索用メール情報対に対応するメール番号は、第２フィルタ２７で抽出されて第２フィルタ２７に記録されて保存される。
ステップＳ７：
メール番号１のメールを見ることを望むユーザーは、昇順ボタン１５を指押しして、図６に示されるように、メール番号１に対応する検索用メール情報対を検索用メール情報対選択枠３５で囲む。
ステップＳ８：
ユーザーは表示ボタン１８を指押しすることにより、表示画面２には、図３に示されるように、メール番号１に対応する検索用メール情報対とメール番号１に対応するメイル（の内容）が表示される。
【００２３】
ステップＳ９：
メニュー選択ボタン１４のもう１回の押しにより、表示画面２の表示はメール内容表示前のステップＳ７の図６の表示に戻る。他のメール番号のメール内容は、既述のステップＳ７，Ｓ８の繰り返しにより表示される。
ステップＳ１０：
電源入切ボタン１３の指押しにより操作は終了され、又は、メニュー選択ボタン１４の指押しにより、図４に示されるメニュー選択画面が現れる。
【００２４】
ステップＳ１１：
数日後に、新しいメールが着信している。ステップＳ１〜Ｓ３により、携帯通信端末に保存されている全メールの検索用メール情報対が表示され、検索用メール情報対と全メール内容は、データ保存消去処理回路２５に転載されている。
ステップＳ１２：
降順ボタン１６の指押しにより新着メールが存在することを確認しその新着メールを保存することを望むユーザーは、保存ボタン１７−１を指押しする。第２フィルタ２７で保存されているメール番号のメールは、第２フィルタ２７を通過しないので、既に消去されているメール番号のメールが第２データメモリ２４に記録されることはない。新着メールのうち保存を望まないメールの消去は、ステップＳ５とステップＳ６により実行される。
【００２５】
携帯通信端末に記録されている電話帳の電話番号情報を第１データメモリ２３に記録し第１データメモリ２３に記録されている電話番号情報を第１データメモリ２３から消去する手順は、メールに関する既述の保存と既述の消去に同じである。検索用メール情報対の発信時刻と発信人対応表記（例示：氏名、氏名対応記号）は、検索用電話番号情報対の電話番号と電話番号対応人表記（例示：氏名、氏名対応記号、電話器）にそれぞれに対応している。
【００２６】
このような記録と保存と表示は、メニュー選択操作ボタンと昇順降順ボタンと保存消去ボタンと表示ボタンの６つのボタンの１回押しの単純な操作により可能であり、携帯通信端末の全機能をそのままに保持して損なうことなしに、携帯通信端末の複雑な階層的操作に代替される簡易操作で携帯通信端末の重要な機能を使用することができる。
【図面の簡単な説明】
【００２７】
【図１】図１は、本発明による携帯端末データの簡易処理箱の実現態を示す斜軸投影図である。
【図２】図２は、図１の正面図である。
【図３】図３は、回路ブロック図である。
【図４】図４は、表示画面を示す正面図である。
【図５】図５は、他の表示画面を示す正面図である。
【図６】図６は、更に他の表示画面を示す正面図である。
【図７】図７は、更に他の表示画面を示す正面図である。
【符号の説明】
【００２８】
１…本体ケーシング
２…表示画面
３…ボタン群
４…電気的接続部位
５…取付部位
６…線状可撓体
８…嵌め込み部位
１１…キャップ
１２…嵌め込み部位
１４…メニュー選択ボタン
１５…昇順ボタン
１６…降順ボタン
１７…データ保存消去ボタン
２１…データ保存制御器
２３…第１データメモリ
２４…第２データメモリ
２５…データ保存消去処理回路
２６…フィルタ（第１フィルタ）
２７…フィルタ（第２フィルタ）
【図１】
2005123825.tif 000003
【図２】
2005123825.tif 000004
【図３】
2005123825.tif 000005
【図４】
2005123825.tif 000006
【図５】
2005123825.tif 000007
【図６】
2005123825.tif 000008
【図７】
2005123825.tif 000009